(57)【要約】【課題】本発明は、従来の問題点に鑑みて、スライドレール方式の引き戸装置が予期せぬ衝撃を受けたとしても、容易には破損しない耐衝撃性を有する引き戸装置の提供を課題とする。【解決手段】  上吊り式引き戸装置における扉の内部の下部に下フレームを配設し、該下フレームで扉の下面にガイド部を形成し、該ガイド部にガイド体で案内されるガイド部材を着脱自在に配設するとともに、ガイド部材と下フレームの立直面間に離間部を設ける。【選択図】図６
2019085794.tif 000002
【特許請求の範囲】
【請求項１】
上吊り式の引き戸装置において、引き戸装置の扉は、少なくとも扉の骨格を形成するフレーム材と、扉の正面側の表面を形成する正面側表面材と、扉の裏面側の表面を形成する裏面側表面材で構成され、該フレーム材を正面側表面材と、裏面側表面材で正面側と裏面側から挟んで形成されものであって、扉の最下部に、扉の開閉方向に延伸し下面部が開口とされる扉の下フレームが配設され、下フレームの下面部の開口部は、扉の下面で、前記正面側表面材と裏面側表面材間で形成される下開口部と連通し扉下面の大部分で開口部を形成し、下フレームは、少なくとも正面側表面材と裏面側表面材のそれぞれの内面に当接する正面側扉補強部と裏面側扉補強部を有し、下フレームの正面側扉補強部と裏面側扉補強部の間で形成される空間部がガイド部とされ、該ガイド部に、扉以外の場所に固定設置されたガイド体が挿通可能な案内溝を有するガイド部材が下フレームの正面側補強板部と裏面側補強板のそれぞれから離間状態で配設されていることを特徴とする引き戸装置。
【請求項２】
ガイド部材は、ガイド部から着脱可能とされることを特徴とする請求項１に記載の引き戸装置。
【発明の詳細な説明】
【技術分野】
【０００１】
本発明は、引き戸装置の扉に外部から大きな衝撃が加わったとしても、扉の開閉を可能とする引き戸装置の耐衝撃構造に関するものである。
【背景技術】
【０００２】
引き戸装置は、通常、閉止状態の扉を開放して、人などの出入りを行うものである。しかしながら、病院などでは、閉止状態の扉に移動中のベッドが衝突することや、学校などでは、閉止状態の扉にバスケットボールのように大きなボールが衝突し、時には運動中の学生などが扉に衝突するといったように、予期せぬ衝撃を引き戸装置が受けることがある。  このように、引き戸装置が予期せぬ衝撃を受けると、引き戸装置の三方枠や、扉の戸車などといった駆動装置構成部品が破損し、扉の開閉が出来なくなる恐れがあった。  
【０００３】
そのため、引き戸装置の三方枠の建築壁への取り付け溶接箇所の増加、各部材の接合部のネジ止め箇所の増加、接合部の補強材を増やすなどして、各構成部品の剛性を高める工夫を施し、扉の駆動装置では、衝撃による戸車の脱輪防止部材の強化や、各部材の剛性を高める工夫が施されている。
【０００４】
そして、引き戸装置の中で、扉上部を吊り下げる吊り下げ式の引き戸装置の場合、扉に大きな衝撃が加わると、扉を吊り下げる側に加え、扉下部を案内するガイド部にも大きな衝撃が加わる。そうすると、ガイドが破損するため、通常、ガイドに補強を施し破損しないように対応している。  
【０００５】
しかしながら、通常の衝撃を超える予期せぬ衝撃が扉に加わると、補強されたガイドより弱い部分が破損する。通常、ガイドは、扉下部の扉表裏の表面材間に下面向きコ字状で開閉方向に連続形成されるガイド部材が挿入され、ガイド部材に、非移動部に設置されたローラーなどのガイドを扉下面から挿入し、扉の開閉を直線的に案内するように形成される。
そのため、通常の衝撃を超える予期せぬ衝撃が扉に加わると、扉のガイド部がガイドに強く衝突し、補強されたガイドではなく、扉のガイド部が変形することがある。
ガイド部材は変形したとしても、通常厚板で形成されていることから、弾性変形しやすく、ある程度元の形態に戻るが、薄板で形成される扉表面板の場合、外力の大きさによって弾性限界を超え塑性変形してしまい、扉表面板の変形により扉の開閉に支障がでることとなっていた。
【０００６】
そこで、引き戸装置が予期せぬ衝撃に耐えうるように施された引き戸装置が提供されている（例えば、特許文献１参照。）。
しかしながら、特許文献１では、扉を開閉自在とする装置が、車輪状の戸車と、戸車が転動するレールからなるもので、該レールから戸車が脱輪することを防止する技術が示されているにすぎなかった。
【先行技術文献】
【特許文献】
【０００７】
【特許文献１】特許第５３３７２９１号公報
【発明の概要】
【発明が解決しようとする課題】
【０００８】
本発明は、従来の問題点に鑑みて、スライドレール方式の引き戸装置が予期せぬ衝撃を受けたとしても、容易には破損しない耐衝撃性を有する引き戸装置の提供を課題とする。
【課題を解決するための手段】
【０００９】
そこで、上記課題を解決する為、本発明が第１の手段として構成したところは、上吊り式の引き戸装置において、引き戸装置の扉は、少なくとも扉の骨格を形成するフレーム材と、扉の正面側の表面を形成する正面側表面材と、扉の裏面側の表面を形成する裏面側表面材で構成され、該フレーム材を正面側表面材と、裏面側表面材で正面側と裏面側から挟んで形成されものであって、扉の最下部に、扉の開閉方向に延伸し下面部が開口とされる扉の下フレーム材が配設され、下フレーム材の下面部の開口部は、扉の下面で、前記正面側表面材と裏面側表面材間で形成される下開口部と連通し扉下面の大部分で開口部を形成し、下フレームは、少なくとも正面側表面材と裏面側表面材のそれぞれの内面に当接する正面側扉補強部と裏面側扉補強部を有し、下フレームの正面側扉補強部と裏面側扉補強部の間で形成される空間部がガイド部とされ、該ガイド部に、扉以外の場所に固定設置されたガイド体が挿通可能な案内溝を有するガイド部材が下フレームの正面側補強板部と裏面側補強板のそれぞれから離間状態で配設されているものである。
【００１０】
上記課題を解決する為、本発明が第２の手段として構成したところは、第１の手段に加え、ガイド部材は、ガイド部から着脱可能とされるものである。
【発明の効果】
【００１１】
請求項１に記載の発明によると、ガイド部材は下フレームの正面側補強板部と裏面側補強板と離間状態で配設されているので、引き戸装置の扉に大きな衝撃が加わったとき、ガイド部材がガイド体に衝突し、ガイド体が固定設置されていることから、この時の衝撃により、ガイド部材は逆にガイド体に押され一時的に変形するが、ガイド部材と正面側補強板部、あるいは裏面側補強板には間隔が空けられているため、ガイド部材が変形しても、ガイド部材が直接、正面側補強板部、あるいは裏面側補強板に接触しない。したがって、衝撃による扉表面材の変形を防止できる。
また、より大きな衝撃で、ガイド部材が、正面側補強板部と裏面側補強板との間隔を超えて変形し、ガイド部材の変形によりガイド部材が、正面側補強板部、あるいは裏面側補強板に接触した場合でも、ガイド部材が正面側補強板部、あるいは裏面側補強板に接触する前に、前記間隔が緩衝空間となり、正面側補強板部、あるいは裏面側補強板への衝撃が緩和される。したがって、衝撃による扉表面材の塑性変形を防止できる。
【００１２】
請求項２に記載の発明によると、前記効果に加え、ガイド部材はガイド部から着脱可能とされるため、引き戸装置の扉に大きな衝撃が加わって、ガイド部材が塑性変形したとしても、変形したガイド部材を取り外し、新たなガイド部材に交換するだけで、引き戸装置の復旧が可能であり、扉ごと交換する必要がなく、修理費用が安価にできる。
【図面の簡単な説明】
【００１３】
【図１】本発明の引き戸装置の室内側からの概略正面図
【図２】本発明の要部横断面図
【図３】本発明の出入口側部分での要部縦断面図
【図４】本発明の戸袋側部分での要部縦断面図
【図５】出入口側部分での要部拡大縦断面図
【図６】スライド装置の拡大縦断面図
【図７】扉の構造を説明する概略斜視図
【図８】ガイド部材の他の取付方法の概略図
【図９】振れ止め部材部分の断面拡大概略図
【図１０】中間振れ止め部材部分の断面拡大概略図
【発明を実施するための形態】
【００１４】
耐衝撃性を有する上吊り式引き戸装置の扉を、扉の骨格を形成するフレーム材と、扉の正面側の表面を形成する正面側表面材と、扉の裏面側の表面を形成する正面側表面材で構成し、該フレーム材を正面側表面材と、裏面側表面材で正面側と裏面側から挟んで鋼製扉を形成し、扉の最下部に、扉の開閉方向に延伸し下面部が開口とされる扉の下フレーム材を配設し、下フレーム材の下面部の開口部を、扉の下面で、前記正面側表面材と裏面側表面材間で形成される下開口部と連通させ、正面側表面材と裏面側表面材のそれぞれの内面に当接する正面側扉補強部と裏面側扉補強部を有した下フレームの正面側扉補強部と裏面側扉補強部の間で形成される空間部をガイド部とし、該ガイド部に、扉以外の場所に固定設置されたガイドが挿通可能な案内溝を有するガイド部材を、下フレームの正面側補強板部と裏面側補強板のそれぞれから間隔を空けて着脱自在に配設する。
【実施例】
【００１５】
以下実施例１を図面に基づいて説明する。
図１は、本発明を具備した引き戸装置の正面概略図を示し、符号１は引き戸枠を示している。
引き戸枠１は、図２、図３に示すように、建物側の鉄骨１１・・・にアングル材１２・・・を介して固定された戸尻側縦枠１３および戸先側縦枠１４と、戸尻側縦枠１３と戸先側縦枠１４の上端間に配設され、建物側鉄骨１１にアングル材１２を介して固定されたレール取付材２より門形に形成されている。
符号４・・・は、戸袋室内側及び戸袋室外側の両面上下方向に所定間隔を有して配設された下地桟を示している。
【００１６】
レール取付材２は、戸尻側縦枠１３と戸先側縦枠１４の内面間と同じ長さの長尺で、両端面が、戸尻側縦枠１３と戸先側縦枠１４のそれぞれの内面に当接し、戸尻側縦枠１３と戸先側縦枠１４の内面にボルトで強固に固定される。また室内側に引き戸レール５が着脱自在に連結されている。
符号６は、引き戸レール５に吊り下げられた扉を示し、符号３、３０は、戸尻側縦枠１３と戸先側縦枠１４間で、上端がレール取付材２の室内側と室外側の両面に固定され、室内側と室外側に所定間隔を有して配設された室内側中枠と室外側中枠を示している。
符号３００は、扉６の戸先側端部で、室内側、室外側に設けられた取手を示している。符号３０１は、鎌錠を示している。
以下、戸尻側縦枠１３と室内側中枠３間を室内戸袋側、戸尻側縦枠１３と室外側中枠３０間を室外戸袋側、戸先側縦枠１４と室内側中枠３間を室内出入口側、戸先側縦枠１４と室外側中枠３０間を室外出入口側と云う。
【００１７】
図４において、符号１６はベース材を示し、ベース材１６は、室内外戸袋側の床面全幅にわたって固定され、室外出入口側で突出した端部上面に、ガイドローラー１７１を回転自在に設けたガイドローラー取付部材１６４が室内側中枠３、室外側中枠３０の前端より室外出入口側に突出して取り付けられている。
図３において符号１８・・・は、レール取付材２の室内出入口側に取付られるランマ下地パネルを示し、符号１９はレール取付材２の室外出入口側に着脱自在に取り付けられたメンテナンスパネルを示している。
そして、引き込み部側には床面全幅に渡って上向きコ字形のベース材１６が設けられ、ベース材１６の出入口側端部に近接する出入口側の床面にガイド体１７が固定されている。
ガイド体１７は、扉６の下端面に形成された案内溝１０１に嵌合するガイドローラー１７１を有している。
【００１８】
そして、上記引き戸枠１、ベース材１６、室内外中枠３、３０、下地桟４・・・、ランマ下地パネル１８、メンテナンスパネル１９、引き戸レール５が取り付けられたレール取付材２は、内装仕上げ（化粧パネル等の張り付け）が行われるまでに施工され、内装仕上げが終了した後、メンテナンスパネル１９を取り外して、扉６が引き戸レール５に吊り込まれ、扉６の閉鎖スピードの調整、床面及び戸先側縦枠１４との隙間調節が行われる。
【００１９】
以下、各部材について詳述する。
戸尻側縦枠１３は、図２に示す如く、戸袋側面１３１と室内側面１３２と室外側面１３３より横断面略コ字形に形成され、建物側鉄骨１１側の上下方向に所定間隔を有して設けられた固定用部材１３４・・・が、建物用鉄骨１１の戸袋側面に突出して固着されたアングル材１２・・・に溶接されて立設されている。
そして、戸袋側面１３１の戸袋側に引戸６が開放された時、引戸６の戸尻側端面が当接する緩衝部材１３５が取り付けられている。
【００２０】
戸先側縦枠１４は、図２に示す如く、建物側鉄骨１１側の上下方向に所定間隔を有して固定用部材１４１・・・が設けられ、前後方向で室内側と室外側（前後）に突出して室内側の化粧ボード１００の出入り口側端面を隠蔽する室内側ボード閉塞突部１４６と、室外側の化粧ボード１００の出入口側端面を隠蔽する室外側ボード閉塞突部１４７と、室内側ボード閉塞突部１４６と室外側ボード閉塞突部１４７間に位置し、扉６の戸先側端部が位置する部分に上下方向に渡って設けられ閉鎖用凹部１４８を有し、閉鎖用凹部１４８の前後方向中央部に上下方向にわたって、弾性材から形成された戸当たり受け部材１４９が取り付けられている。
そして、閉鎖用凹部１４８の上下方向の中間部付近には、後述する扉６に設けられた鎌錠３０１に対応して、受け座１４ａが設けられ、戸当たり受け部材１４９には受け座１４ａに対応して開口部が設けられる。
【００２１】
レール取付材２は、図３に示すように、主に、室内側中枠３、室外側中枠３０が取り付けられる固定用枠２１と、固定用枠２１の室外側面部２００の下端部の折り曲げ部２２０に下端部が固着されるＬ字形の引き戸レール取付面２２１と、引き戸レール取付面２２１の上端から室内側に延出され、固定用枠２１の室内側面部２１０の内面に固着される上部固定面２２２を有し、引き戸レール取付面２２１と上部固定面２２２で室内側の下方に開閉方向全幅に渡って開口する引き戸レール取付用開口２０が形成されている。
そして、レール取付材２の剛性を上げるため、室外側面部２００と室内側面部２１０が補強部材２１ａにより連結され、レール取付材２の耐衝撃性を向上させている。
【００２２】
尚、引き戸レール取付面２２１の戸袋側には、扉６の開閉方向に所定間隔を有して引き戸レール５の取付用係合孔２２３が複数個形成され、引き戸レール取付面２２１の出入り口側には、扉６の開閉方向に所定間隔を有して引き戸レール５の固定用螺孔が複数個形成されている。
【００２３】
引き戸レール５は、図５、図６に示すように、スライド装置７と、アルミの押出材より形成された、スライド装置７の補強材５１と、補強材５１を保持する保持部材５２が一体に連結されて構成されている。そして、その開閉方向の長さは、レール取付材２に着脱自在に取り付けられるよう、レール取付材２より所定寸法短く形成されている。
また、引き戸レール５の保持部材５２の戸袋側には、扉６の開閉方向に所定間隔を有して、前記固定枠２１の取付用係合孔に出入口側から係合する係合爪５２２・・・が形成され、引き戸レール５の出入り口側には、固定用螺孔２２４に対応する連結孔が形成されている。
【００２４】
そして、引き戸レール５は、係合爪５２２・・・を引き戸レール取付面２２１の取付用係合孔２２３・・・内に位置させ、引戸６の開放方向にハンマー等にて打撃して、引き戸レール５を扉６の開放方向にスライドさせて、係合爪５２２・・・を取付用係合孔２２３・・・に係合させ、固定用螺孔２２４・・・と連結孔が一致した状態で、連結ネジ５０にて連結される。
【００２５】
このように引き戸レール５をレール取付材２に取り付けることによって、連結ネジ５０を取り外した後、扉６の閉鎖方向にハンマー等にて打撃し、引き戸レール５を扉６の閉鎖方向にスライドさせて、係合爪５２２・・・と取付用係合孔２２３・・・の係合状態を解除させることにより引き戸レール５を取り外すことができるようになる。
よって、万が一のレール装置７の破損、不調があったとしても、引き戸レール５の交換が可能である。
【００２６】
スライド装置７は、図６に示す如く、補強材５１の室外側に保持される断面略Ｃ字形のアウターメンバー７１と、アウターメンバー７１にボールリテーナー７２に保持された複数個のボール７３・・・を介してスライド自在に保持される断面略Ｃ字形のインナーメンバー７４より構成されており、保持部材５２と補強材５１とアウターメンバー７１は開閉方向全幅に渡って配設され、インナーメンバー７４は引戸６の開閉方向の幅よりやや小さ目に形成され、ボールリテーナー７２はインナーメンバー７４より２倍強の幅に形成されている。
符号７５はインナーメンバー７４の室内側に固着された吊り金具を示している。
【００２７】
そして、レール取付材２は、前述の通り、戸尻側縦枠１３と戸先側縦枠１４に連結された後、建物用鉄骨１１に対して、レール取付材２の上面に設けられた扉６の開閉方向に長尺な溶接補強部材２ｄと建物用鉄骨１１の下面を複数のアングル材１２・・・を介して溶接固定される。
図５における符号２３０、２３１は、それぞれ、周知技術であるエアーシリンダー式のブレーキ装置と、ブレーキ装置を起動させるブレーキ当たり金具である。
尚、ブレーキ装置２３０を取り付ける部材や、ブレーキ当たり金具２３１は、耐衝撃性を向上させるため、適宜、リブの追加や、板厚を増やすなどの対応がなされている。
【００２８】
ベース材１６は、図１、図２、図３に示すように、戸袋側の床面全幅に位置する固定面１６１と、固定面１６１の室内側および室外側の端部に形成された立ち上がり面１６２、１６２より断面上向きコ字形に形成され、固定面１６１に前部には、狭い断面上向きコ字形に形成されるベース補助部材１６ａが溶接にて連結されており、該ベース補助部材１６ａの立ち上がり面に室内側中枠３、室外側中枠３０の下部がネジ止めにて取り付けられる。
そして、ベース補助部材１６ａの下面を形成する固定面１６１ａには、ガイド体１７取り付けられ、ガイド体１７は、扉６の下端面に形成された案内溝１０１に内包するガイドローラー１７１とガイドローラー１７１を回転自在に保持するガイドローラー取付部材１６４で構成される。
そして、ガイドローラー取付部材１６４の戸尻側縦枠１３側の端部側はアンカーボルトにてベース材１６、ベース補助部材１６ａと共に床面に固定される。
【００２９】
ガイドローラー取付部材１６４は、厚板鋼板に曲げ加工を行い製作されるものであって、ベース補助部材１６ａの固定面１６１ａに取り付けられる板状のベース部１６４ａとベース部１６４ａの前端から上部に持ち上げられるガイドローラー取付部１６４ｂとガイドローラー取付部１６４ｂから下方に下ろされ、戸先側に延伸する床固定部１６４ｃで形成され、ガイドローラー取付部１６４ｂに螺孔が設けられ、回転自在のガイドローラー１７１が該螺孔を使用して取り付けられる。
そして、床固定部１６４ｃは、引き戸装置が設置される床面上に載置し、床固定部１６４ｃに設けられた固定孔を使用して、アンカーボルトにて床面に固定される。
前述のとおり、ベース部１６４ａは、ベース材１６、ベース補助部材１６ａとともにアンカーボルトにて床面に固定されているから、ガイドローラー１７１１の戸先側と戸尻側でアンカーボルトにて強固に床面に固定される。
このような方法でガイドローラー取付部材１６４を取り付けることにより、衝撃を受けたときのガイドローラー取付部材１６４の変形が防止できるので、耐衝撃性が向上する。
【００３０】
符号２１５は、戸先側縦枠１４と室内側中枠３の間で、室内側に設けられたメンテナンスパネル１９の上部支持部材を示し、符号２１９は戸先側縦枠１４と室外側中枠３０の出入り口側面に設けられたメンテナンスパネル１９の下部支持部材を示し、下部支持部材２１９にはメンテナンスパネル１９の取付用螺孔が形成されている。
尚、下部支持部材２１９は、耐衝撃性を向上させるため、通常使用されるものより大きくかつ板厚が厚くされ強度が高められている
【００３１】
符号１８は、化粧ボードのネジ止め用の下地材のランマ下地パネルを示し、下部で、戸先側縦枠１４と室外側中枠３０の間で、室内側に突出して形成されるランマ下地突部１８０と連結し一体的に形成されている。
そして、ランマ下地パネル１８の上端がレール取付材２にネジ止めされ、開閉方向の両端部が、室外側の中枠３０の上部と、戸先側縦枠１４の室外側の上部にネジ止めされている。さらに、ランマ下地突部１８０の上面が、室外側の中枠３０の出入り口側面と戸先側縦枠１４出入り口側面のそれぞれにネジ止めされた固定部材１８ａ、１８ａにネジ止めされ、ランマ下地突部１８０の室内側面が、同じく室外側の中枠３０の出入り口側面と戸先側縦枠１４出入り口側面のそれぞれにネジ止めされた固定補助部材１８ｂ、１８ｂにネジ止めされる。
このように、ランマ下地パネル１８（ランマ下地突部１８０）を上下左右でネジ止めにて取り付けることによりに耐衝撃性を向上させることができる。
【００３２】
室内側中枠３は、図２に示す如く、内面側に位置する補強枠３１と、補強枠３１の出入り口側の端部に形成されて室内側に突出し、戸袋側の化粧パネル１００の出入口側端部を隠蔽する中枠突部３２と、補強枠３１の室内側の表面に設けられ、戸尻側縦枠１３側の端部に下地桟４の端部との連結部を有する表面板３４より形成され、上端部がレール取付材２の室内側面に連結され、下端部がベース材１６（ベース補助部材１６ａ）と連結され立設される。
【００３３】
室外側中枠３０は、図２に示す如く、内面側に位置する補強枠３０１と、補強枠３０１の出入り口側の端部に形成されて室外側に突出し、戸袋側の化粧パネル１００の出入口側端部を隠蔽する中枠突部３０２と、補強枠３０１の室外側の表面に設けられ、戸尻側縦枠１３側の端部に下地桟４の端部との連結部を有する表面板３０４より形成され、上端部がレール取付材２の室外側面に連結され、下端部がベース材１６（ベース補助部材１６ａ）と連結され立設される。
【００３４】
扉６は、上フレーム６１、下フレーム６２、縦前フレーム６３、縦後フレーム６４で、ロ字型に組まれた引き戸フレームのロ字型内部にペーパーコア６５を入れ、引き戸フレームの両面を薄板表面材である室内側（正面側）表面材６６と室外側（裏面側）表面材６７で挟み込み接着して構成されるパネル状のものである。
【００３５】
上フレーム６１には、上端面の開閉方向に所定間隔を有して吊り下げ用連結螺孔６１１、６１１が形成される。
下フレーム６２は、図３、図７に示すように断面下向きコ字状に形成され、コ字状を形成する一対の立直面が、室内側表面材６６の内面に当接する正面側扉補強部６２ａ、室外側表面材６７の内面に当接する裏面側扉補強部６２ｂとされ、下向きコ字状の上面を形成する水平面がガイド固定部６２ｃとされる。
そして、正面側扉補強部６２ａと裏面側扉補強部６２ｂの間で形成される空間部がガイド部６２１とされる。ガイド固定部６２ｃには、螺孔６２ｅ、６２ｅが形成される。
下フレーム６２は、扉６の幅（開閉方向）に対して略同じ長さに形成されている。そのため、扉６の下面の大部分で開口部を形成している。
【００３６】
縦前フレーム６３の上下中間部付近には、戸先側に係止片が出入りする鎌錠３０１の取付部が設けられている。
【００３７】
このように構成された扉６の上端部に隙間調節用部材８が外嵌し、扉６の戸先側端面には、引き戸の閉鎖状態で前記戸当たり凹部１４９内に位置し、戸先側端面が緩衝部材（戸当たり受け材）に密着する前カバー９が外嵌し、下フレーム６２のガイド部６２ｄにガイド部材１０がネジにて取り付けられる。
【００３８】
ガイド部材１０は金属製であって、下フレーム６２と略同じ（開閉方向）長さで断面が下向きコ字状に形成されており、下向きコ字状を形成する一対の立直面１０ａ、１０ａ間で案内溝１０１が形成され、立直面１０ａ、１０ａ間はガイドローラー１７１が開閉方向に行き来できる寸法に設定されるとともに、下フレーム６２の正面側扉補強部６２ａと裏面側扉補強部６２ｂとそれぞれから離間状態となる寸法に設定され、立直面１０ａ、１０ａと、正面側扉補強部６２ａ、裏面側扉補強部６２ｂ間に離間部６２ｄ、６２ｄを形成している。より具体的な離間寸法は、２．５ミリメートル以上空けるのがよい。
【００３９】
扉６に大きな衝撃が加わった場合、扉６の下部は、前記立直面１０ａとガイドローラー１７１が当接することによって扉６の下部の振れが防止されるが、衝撃力を立直面１０ａとガイドローラー１７１が受けることになるので、ガイドローラー１７１に押される形で、立直面１０ａが一時的に変形する。その時、立直面１０ａの一時的な変形により、下フレーム６２の正面側扉補強部６２ａあるいは裏面側扉補強部６２ｂに立直面１０ａが接触する。そのため、前記離間寸法が２．５ミリメートル未満であると、立直面１０ａの一時的な変形が直接、正面側扉補強部６２ａあるいは裏面側扉補強部６２ｂに伝わりやすくなり、正面側扉補強部６２ａあるいは裏面側扉補強部６２ｂを介して、室内側表面材６６あるいは、室外側表面材６７が弾性限界を超え塑性変形を起こしてしまうことになる。したがって、前記離間寸法は衝撃力を緩和する緩衝部となるので、離間寸法は大きければ大きいほうがよい。
また、下フレーム６２で扉下部の通常使用時の剛性を確保可能であるため、扉下部は下フレーム６２の剛性に加え、ガイド部材１０の剛性も加わるので、扉下部の耐衝撃性は向上する。
すなわち、扉下部は、下フレーム６２とガイド部材１０と離間部６２ｄが協働で耐衝撃構造を形成している。
【００４０】
そして、立直面１０ａ、１０ａ間の上端で連結される固定部１０ｂには、下フレーム６２の螺孔６２ｅ、６２ｅに対応して、貫通孔１０ｃ、１０ｃが設けられている。
そして、ガイド部材１０は、前述のとおり、扉６の下面から下フレーム６２に対して、螺孔６２ｅ、６２ｅ、貫通孔１０ｃ、１０ｃを使用して着脱自在にネジ止めされる。
【００４１】
尚、図８に示すように、下フレーム６２のガイド固定部６２ｃに係合孔Ａを設けて、ガイド部材１０の固定部１０ｂに係合片Ｂを設け、扉６の前面下部に、ガイド部材１０が挿通可能な開口部を設け、ガイド部材１０を該開口部から挿入し、前記係合片Ａを係合孔Ｂに係合させて取り付ける方法でもよい。この場合、ガイド部材の移動防止のために前カバーで前記開口を塞ぐとよい。
【００４２】
隙間調節用部材８は、図３、図５に示すように、吊り下げ面８１と、吊り下げ面８１の室内側および室外側に形成された室内側挟持片８２および室外側挟持片８３より断面下向き略コ字形に形成され、吊り下げ面８１には前記インナーメンバー７４の吊り金具７５に取付ピン８００を介して、室内側および室外側方向に回動自在に吊り下げられる吊り受け金具８２０が上方に突出して設けられると共に、扉６の前記吊り下げ用連結螺孔６１・・・に対応して、挿通孔８３０・・・が形成され、固定用ボルト８０・・・が、吊り下げ面８１の上方から挿通孔８３０・・・を挿通して吊り下げ用連結螺孔６１・・・に螺合している。隙間調節用部材８は、引戸レール５に吊り下げられた状態で、室内側表面材６６、室外側表面材６７と所定の重なり代が生じ、かつ、ランマ下地パネル１８のランマ下地突部１８０の上方に上端部が位置している。
【００４３】
隙間調節用部材８、ガイド部材１０などが取り付けられた扉６の吊り込みは、一旦、扉６持ち上げ、ガイド部材１０の下面の開口部をガイドローラー１７１の上方から被せるように扉６を降ろし、案内溝１０１にガイドローラー１７１が位置した状態で、前記のとおり、取付ピン８００を介して、引戸レール５の吊り金具７５に吊り下げる。そして、床面に対する扉６の高さ位置の調整を行い、扉６が開閉自在となる。扉６の開閉移動の際には、扉６の下部は、案内溝１０１とガイドローラー１７１によって、出入り方向の振れを防止している。ガイドローラー１７１は、扉６が開閉するとき、ガイド部材１０の案内溝１０１の内面に擦れて回転するのでスムーズに扉６を開閉することができる。
尚、ガイドローラーでなくても、ピン状のものや、直方体のものなど回転しないものでも構わない。
【００４４】
このように吊り下げられた扉６の隙間調節用部材８の上面の吊り下げ面８１に、扉６の前側と後側が吊り金具７５を中心として、出入り（室内側と室外側）方向に振れるのを防止する振れ止め部材９０、インナーメンバー７４（吊り金具７５）の外れ防止の中間振れ止め部材９１がネジにて取り付けられる。
振れ止め部材９０は、隙間調節用部材８の上面ネジ止めされる基材９０１と、基材９０１から上方に立ち上がる支持部９０２と支持部９０２の上端で上向きコ字状に形成される振れ止め部９０３からなり、振れ止め部９０３のコ字状部で、レール取付材２の下部の室内側と室外側を抱え込むように取り付けられ、扉６が、出入り方向に振れると、振れ止め部９０３がレール取付材２の下部の室内側や室外側に当接し、扉６の振れを軽減する。
このような振れ止め部材９０は、周知技術であるが、本願発明では、振れ止め部材９０に加え、図９に示すように補助振れ止め部材９０ａを追加して、耐衝撃性を高めている。
振れ止め部材９０は扉６に対して前後側に取り付けられるもので、前側は、扉６の戸先と吊り金具７５の間に設置され、後ろ側は、扉６の戸尻と吊り金具７５の間に設置される。それぞれ、戸先と戸尻に近いほうが振れ防止の効果が高い。
【００４５】
図１０に示す中間振れ止め部材９１は、隙間調節用部材８の上面ネジ止めされる基材９１１と、基材９１１から上方に立ち上がる支持部９１２と支持部９２の上端で上向きに突出する振れ止め部９１３からなり、振れ止め部９１３が、レール取付材２の下部の室外側に位置するように取り付けられる。
スライド装置７のインナーメンバー７４は、特性上、室外側から室内側への力によってアウターメンバー７１から脱落しやすい。室内側から室外側へ力では、インナーメンバー７４がアウターメンバー７１側に押されるので、特段問題とならない。
したがって、中間振れ止め部材９１は、インナーメンバー７４（吊り金具７５）の裏側（室外側）となる位置に設置され、扉６に、室外側から室内側への大きな力が加わった場合、吊り金具７５を介してインナーメンバー７４が脱落する方向に押されるのを、振れ止め部９１３が、レール取付材２の下部の室外側に当接することによって防止するものである。
【００４６】
本願発明の扉６には、周知技術であるゼンマイで扉６（吊り金具７５）を引っ張るゼンマイ方式や、扉内にガイド部を設け、ガイド部にワイヤーでウエイトを上下移動可能に吊り下げウエイトの重さにて扉を移動させるウエイト方式にて、自動的に扉６を閉止させる半自動方式を適宜用途に応じて採用してもよい。
【００４７】
メンテネンスパネル１９は、図５に示すように、上部支持部材２１５の内面側の下方に突出して取付けられた下向き支持突片２１７と上部支持部材２１５の下端部間に形成された取付用間隙に下方から嵌入する嵌入上向き突片１９１を上端部に有し、室内側に略Ｌ字形に折り曲げられ下部支持部材２１９の下方に位置し、下方から下部支持部材２１９にネジ止めされる下部折り曲げ縁１９２を下端部に有している。
【００４８】
前記のように本願発明に係る引き戸装置は、引き戸に大きな衝撃が加わった場合に変形、破損しやすい部分が適宜強化されており、厚みが薄く強化が難しい扉下部に対しても、耐衝撃性構造を取り入れたので、より幅広い用途で使用可能である。
【００４９】
このようなガイド部、ガイド部材、振れ止めの構成は、本実施例のように、建物壁内に扉が収容される引き戸装置に限らず、壁の表面に設置するアウトセット式引き戸装置にも利用することができる。
【符号の説明】
【００５０】
１        引き戸枠
１０      ガイド部材
１１      鉄骨
１３      戸尻側縦枠
１４      戸先側縦枠
１７      ガイド体
１８ａ    固定部材
１８ｂ    固定補助部材
１０１    案内溝
１００    化粧ボード
２        レール取付材
３        室内側中枠
３０      室外側中枠
５        引き戸レール
６        扉
６２      下フレーム
６２ａ    正面側扉補強部
６２ｂ    裏面側扉補強部
６２１    ガイド部
６６      室内側表面材
６７      室外側表面材
９０      振れ止め部材
９１      中間振れ止め部材
【図１】
2019085794.tif 000003
【図２】
2019085794.tif 000004
【図３】
2019085794.tif 000005
【図４】
2019085794.tif 000006
【図５】
2019085794.tif 000007
【図６】
2019085794.tif 000008
【図７】
2019085794.tif 000009
【図８】
2019085794.tif 000010
【図９】
2019085794.tif 000011
【図１０】
2019085794.tif 000012